(57)【要約】【課題】  複数の白色ＬＥＤ２０１の間隔が不均一に配列された原稿照明装置において、白色ＬＥＤ２０１の発光により主走査方向中央部領域に配置された白色ＬＥＤ２０１と端部領域に配置された白色ＬＥＤとの間で発光色に差が生じ、画像の中央部と端部とで色むらが生じる。【解決手段】  白色ＬＥＤ２０１の間隔に相関する形状で、あるいはＬＥＤ基板３０１に蓄積される主走査方向の熱分布に相関する形状を有する放熱部材５０１をＬＥＤ基板３０１に取り付ける。これによりＬＥＤ基板３０１に生じる熱分布が均一になり、白色ＬＥＤ２０１の発光色の差を抑制することができる。【選択図】  図５
2009151237.tif 000002
【特許請求の範囲】
【請求項１】
原稿に光を照射する光源であって、原稿の主走査方向に基板上に配列された複数の光源を備え、前記複数の光源が所定の間隔で配列される第１の領域と、前記複数の光源が前記所定の間隔よりも狭い間隔で配列される第２の領域と、を有する原稿照明装置において、
前記光源の発光により前記光源に生ずる熱を放出する放熱部材を前記基板に設け、前記放熱部材の前記第２の領域における放熱能力は前記第１の領域における放熱能力よりも高い構成とすることを特徴とする原稿照明装置。
【請求項２】
前記第１の領域は原稿の主走査方向の中央部に形成され、前記第２の領域は前記主走査方向の端部側に形成されることを特徴とする請求項１に記載の原稿照明装置。
【請求項３】
前記放熱部材は、前記基板に対して垂直に設けられた複数の放熱板で構成されていることを特徴とする請求項２に記載の原稿照明装置。
【請求項４】
前記放熱板はその面法線が原稿の主走査方向と平行するように設けられ、前記第２の領域における前記放熱板の表面積は前記第１の領域における前記放熱板の表面積よりも大きいことを特徴とする請求項３に記載の原稿照明装置。
【請求項５】
前記放熱板はその面が原稿の主走査方向と平行するように設けられ、前記第２の領域における前記放熱板の表面積は前記第１の領域における前記放熱板の表面積よりも大きいことを特徴とする請求項３に記載の原稿照明装置。
【請求項６】
前記放熱部材は前記基板に対して垂直に形成される複数の柱状の部材で構成され、前記第２の領域における前記柱状の部材の前記基板に対する垂直方向の高さは前記第１の領域における前記柱状の部材の前記基板に対する垂直方向の高さよりも高くなることを特徴とする請求項２に記載の原稿照明装置。
【請求項７】
前記放熱部材は前記基板に対して垂直に形成される複数の柱状の部材で構成され、前記第２の領域における前記柱状の部材が形成される密度は前記第１の領域における前記柱状の部材が形成される密度よりも高いことを特徴とする請求項２に記載の原稿照明装置。
【請求項８】
原稿に光を照射する光源であって、原稿の主走査方向に基板上に配列された複数の光源を備え、前記複数の光源が配列された第１の領域及び第２の領域を有し、第１の領域の発熱量よりも第２の領域の発熱量が大きい原稿照明装置において、
前記光源の発光により前記光源に生ずる熱を放出する放熱部材を前記基板に設け、前記放熱部材の前記第２の領域における放熱能力は前記第１の領域における放熱能力よりも高い構成とすることを特徴とする原稿照明装置。
【発明の詳細な説明】
【技術分野】
【０００１】
本発明は、原稿照明装置に関し、特に複数の光源が原稿の主走査方向に配列され、前記光源の間隔が不均一である原稿照明装置に関する。
【背景技術】
【０００２】
近年の技術革新によって、白色光を発する発光ダイオード（以下白色ＬＥＤ）が発光できる光量は年々増大していく傾向にある。それに伴い画像読取装置における原稿照明装置、特に複写機などの画像読取装置に用いられる原稿照明装置に白色ＬＥＤを用いることが提案されている（例えば、特許文献１参照）。
【０００３】
また、原稿面に照射される光の主走査方向における照度分布を均一にするために、複数個のＬＥＤを列上に並べ（ＬＥＤアレイ）、かつＬＥＤアレイの中央部と端部でＬＥＤの間隔を異ならせる構成が提案されている（例えば、特許文献２参照）。具体的には、主走査方向に１列に並んだＬＥＤアレイの中央部の発光素子の間隔を広げ、端部の発光素子の間隔を狭めて構成することによって、ＣＣＤを代表とする読み取り部に光が入射するときの主走査方向の照度分布を均一にしている。
【０００４】
上記白色ＬＥＤから射出される光の色はその温度上昇に従って変化する。その変化について青色ＬＥＤを用いた白色ＬＥＤを例に説明する。上記白色ＬＥＤは青色ＬＥＤと黄色蛍光剤が配合してあるシリコン樹脂剤とによって構成され、青色ＬＥＤが発光し、発光した青色光によってシリコン樹脂剤中の黄色蛍光剤が励起発光して白色光が射出される。青色ＬＥＤから発せられる青色光と青色光を受け黄色蛍光体から発せられる黄色光との混色により、人間の目には白色に見える光が作り出される。
【０００５】
上記白色ＬＥＤ内の黄色蛍光体には温度上昇と共にその発光量が小さくなるという特性がある。白色ＬＥＤを発光させると、時間の経過と共に熱が蓄積されていき、黄色蛍光体から発せられる黄色光の光量が小さくなる。相対的に青色ＬＥＤによる青の発光量が多くなり、白色ＬＥＤから発せられる光の色が白色から青色側にシフトする。
【０００６】
白色ＬＥＤの発光色の変化を抑えるには、極力白色ＬＥＤの昇温を避ければ良い。上記のような白色ＬＥＤに蓄積される熱への対策として、放熱板を設け放熱させる構成が考えられる。例えば、基板に放熱板を設ける構成として、平面部と平面部から垂直に形成されたフィン（板状の放熱部材）からなる放熱体を基板に設け、発熱体を介して基板の熱を放出することが提案されている（例えば、特許文献３参照）。また、特許文献に記載されている放熱体は軸流ファンから供給される流体（冷却風）の流路上に配置され、中央部のフィンに冷却風が当たりやすい構成にされて、中央部の冷却効率が高められている。この放熱体は板面が流体の流路と平行に配置された板状の多数のフィンからなり、このフィン群は中央部分（多くの熱が蓄積される領域）ではフィン間隔が疎に形成され、両側部分では密に形成されている。この構成によりフィン群が疎に形成された部分には冷却風がよく当たるようになり、中央部での冷却効率が高められる。
【０００７】
さらに、特許文献４では次のような電子機器装置が開示されている。この電気機器装置は基板上に搭載された第１の素子と、第１の素子より発熱量が大きい第２の素子と、この基板のこれら第１及び第２の素子の搭載面にフィンを有する金属板とを備えている。第１の素子は冷却風の下流側に配置されている（特許文献４）。
【特許文献１】特開平０５−０１４６０３号公報
【特許文献２】特開２００５−１１７６０２号公報
【特許文献３】特開平６−１３５０５２号公報
【特許文献４】特開平９−６４５６８号公報
【発明の開示】
【発明が解決しようとする課題】
【０００８】
しかしながら、特許文献２に開示されているように白色ＬＥＤを配列して光源を構成すると、主走査方向において光量の分布を均一化することができるが、配列間隔が不均一であるため、白色ＬＥＤを発光させてから時間が経過すると白色ＬＥＤの間隔が狭い領域では間隔が広い領域よりも多くの熱が蓄積され、ＬＥＤ基板の主走査方向に温度差（熱分布の不均一性）が生じる。それに伴い各白色ＬＥＤ間において発光色に差が生じ、原稿から反射される光の色も変化するため、色の再現性が低下するおそれがある。また、主走査方向の中央部領域と端部領域との間で発光色に差が生じるため主走査方向において画像の色むらが生じるおそれがある。そのため、配列間隔が狭い領域の白色ＬＥＤと配列間隔が広い領域の白色ＬＥＤに生じる温度差及びＬＥＤ基板の主走査方向に生じる温度差を極力抑えることによって発光色の変化を均一にする対策が望まれる。
【０００９】
上記の課題に対して単純に特許文献３に記載されているように放熱板をＬＥＤ基板に取り付けただけであれば、ＬＥＤ基板の全体的な温度は低くなる。しかしながら、基板の熱分布は均一にならず、主走査方向の発光色に差（色むら）が生じることは解消されない。
【課題を解決するための手段】
【００１０】
本発明は上記課題を解決するためのものである。本発明の原稿照明装置は、原稿に光を照射する光源であって、原稿の主走査方向に基板上に配列された複数の光源を備え、前記複数の光源が所定の間隔で配列される第１の領域と、前記複数の光源が前記所定の間隔よりも狭い間隔で配列される第２の領域と、を有する原稿照明装置において、前記光源の発光により前記光源に生ずる熱を放出する放熱部材を前記基板に設け、前記放熱部材の前記第２の領域における放熱能力は前記第１の領域における放熱能力よりも高いことを特徴とする。
【００１１】
また、本発明の原稿照明装置は、原稿に光を照射する光源であって、原稿の主走査方向に基板上に配列された複数の光源を備え、前記複数の光源が配列された第１の領域及び第２の領域を有し、第１の領域の発熱量よりも第２の領域の発熱量が大きい原稿照明装置において、前記光源の発光により前記光源に生ずる熱を放出する放熱部材を前記基板に設け、前記放熱部材の前記第２の領域における放熱能力は前記第１の領域における放熱能力よりも高いことを特徴とする。
【発明の効果】
【００１２】
本発明の原稿照明装置は、原稿の主走査方向に複数の光源が所定の間隔で配列される第１の領域と、複数の光源が前記所定の間隔よりも狭い間隔で配列される第２の領域と、を有する原稿照明装置において、第１の領域よりも第２の領域の放熱能力が高い放熱部材を基板に取り付ける構成とした。これにより、配列間隔が狭い領域の白色ＬＥＤと配列間隔が広い領域の白色ＬＥＤに生じる温度差及びＬＥＤ基板の主走査方向に生じる温度差を抑えることができる。それにより、主走査方向中央部領域の光源と端部領域の光源との間で生じる発光色の差を抑制することができる。結果として主走査方向中央部領域の画像と端部領域の画像との間で生じる色むらを低減することできる。
【００１３】
また、本発明の原稿照明装置は、複数の光源が配列された第１の領域及び第２の領域を有し、第１の発熱量よりも第２の領域の発熱量が大きい原稿照明装置において、第１の領域よりも第２の領域の放熱能力が高い放熱部材を基板に取り付ける構成とした。これにより、配列間隔が狭い領域の白色ＬＥＤと配列間隔が広い領域の白色ＬＥＤに生じる温度差及びＬＥＤ基板の主走査方向に生じる温度差を抑えることができる。それにより、主走査方向中央部領域の光源と端部領域の光源との間で生じる発光色の差を抑制することができる。結果として主走査方向中央部領域の画像と端部領域の画像との間で生じる色むらを低減することができる。
【発明を実施するための最良の形態】
【００１４】
（実施例１）
以下、本発明に係る画像形成装置を図面に則して更に詳しく説明する。
【００１５】
図１は本発明の実施例である原稿照明装置を備えた画像形成装置の要部断面図である。本実施例の画像形成装置は電子写真方式とし、画像読み取り装置１Ｒにて原稿の画像を読み取り、画像出力部１Ｐにて画像読み取り装置１Ｒからの画像情報より画像を記録紙Ｐに形成する。まず画像の読み取り工程から記録紙Ｐに画像が形成されるまでの工程を簡単に説明する。原稿台ガラス１０２に置かれた原稿１０１を照射するための白色ＬＥＤからなる光源（図示せず。詳細は後述）から原稿１０１に光を照射する。原稿１０１から反射した光は反射光学系１０３ａから１０３ｃ及び縮小光学系１０４を介してラインセンサ１０５（ＣＣＤ）に入射する。ＣＣＤ１０５に入射した光はＡ／Ｄ変換され、レーザ光源１からは反射光に基づいて変換されたデジタルデータに基づいたレーザ光が出射される。レーザ光は感光ドラム２を露光し、感光ドラム２の表面に静電潜像を描く。現像器３から供給されるトナーにより感光ドラム２上の静電潜像が可視化される。トナー像は第１の転写部Ｔで中間転写ベルト４（以下ＩＴＢ）に転写される。ＩＴＢ４上のトナー像は図示しない転写装置によって第２の転写部Ｔｅにおいて給紙カセット５から搬送ローラ対６、７、８及び９によって搬送される記録紙Ｐに転写される。さらに記録紙Ｐは定着装置１０に搬送され、記録紙Ｐに載ったトナー像が記録紙Ｐに定着される。その後、排紙ローラ１１によって記録紙Ｐは排紙トレイ１２に排紙される。
【００１６】
図２は画像読取装置１Ｒの断面図である。１０１は原稿、１０２は原稿台ガラスであり、同図は原稿台ガラス１０２に原稿１０１が載置された状態を表している。２０１は光源であるところの白色の光を発するＬＥＤである。３０１は白色ＬＥＤ２０１を支持するＬＥＤ基板である。同図ではＬＥＤ素子を備える基板３０１が２つ設けられており、これにより原稿を読み取るための光量を確保している。その他の構成の詳細については後述する。
【００１７】
１０３ａ、１０３ｂ、１０３ｃは原稿１０１からの反射光をＣＣＤ１０５に導く反射光学系である。反射光学系１０３ａ、１０３ｂ、１０３ｃによりＣＣＤ１０５に導かれた反射光はＣＣＤ１０５に入射する前にレンズ１０４により結像され、ＣＣＤ１０５に入射する。
【００１８】
しかしながら、レンズ１０４を光が通過するとレンズ１０４の光学特性によりＣＣＤ１０５が受光する端部領域の光量が低下する。すなわち、主走査方向に均一な光量の光を発する光源により原稿１０１が照明された場合は、ＣＣＤ１０５から出力される画像信号は中央部の振幅に比べて端部の振幅の方が小さくなる。この問題に対して本発明の原稿照明装置はレンズ１０４を通過することによる端部の光量の減少を補うようにＬＥＤを配列する。
【００１９】
図３は端部光量低下への対策として白色ＬＥＤ素子を配列した図である。同図において光源には２６個の白色ＬＥＤ素子２０１が用いられる。ＬＥＤ素子２０１は原稿の主走査方向と同一の方向に線状に並ぶように配列され、ＬＥＤアレイが形成される。また、主走査方向の中央部領域における白色ＬＥＤの間隔よりも端部領域における白色ＬＥＤの間隔が狭い構成となっている。
【００２０】
さらに具体的に説明すると、基板の主走査方向におけるＡの領域では、発光ダイオードのピッチは所定の値である２０ｍｍピッチで配列されている。Ｂの領域では１４ｍｍピッチ、Ｃの領域では１２ｍｍピッチ、Ｄの領域では１０ｍｍピッチで発光ダイオードが配列される。本実施例では、第１の領域がＡ、Ｂ、Ｃ、Ｄの領域のいずれかに対応し、第２の領域がそれ以外のいずれかの領域に対応する。例えば、第１の領域がＢの領域であるとすると、第２の領域がＣの領域と考えることができる。すなわち、基板の主走査方向における第２の領域では第１の領域よりも狭い間隔で光源が配列されている。
【００２１】
上記のように領域毎に光源が異なる間隔で配列されているため、それぞれの領域での発熱量が異なる。すなわち、Ｃ領域はＢ領域よりも光源が密に配列されているため、Ｃ領域の発熱量はＢ領域の発熱量よりも大きくなる。
【００２２】
また、本実施例ではＡ領域よりも原稿の主走査方向において端部側であるＢ領域、Ｃ領域、Ｄ領域の方が白色ＬＥＤ素子を密に配列されるため、主走査方向両端部の光量が増える構成となっている。このようにＬＥＤ素子を配列することにより、前述したレンズの光学特性によるレンズの端部を通過した後の主走査方向の光量を均一化することができる。
【００２３】
なお、一般的なＡ３サイズの原稿を読み取ることができる画像読取装置は、主走査方向に最大２９７ｍｍの読み取り幅が設定される。原稿照明光源の最端部は、原稿の両端部も照らすことができるようには原稿台に置ける最大サイズ原稿の最端部をオーバーラップするように設けられており、最端部の光量の落ち込みを抑制している。この原稿照明装置におけるＬＥＤアレイは主走査方向３１２ｍｍに亘って照明できる。
【００２４】
図４は本実施例で用いる白色ＬＥＤ２０１の構成を示す概略図である。白色ＬＥＤ２０１はケース２０２内に基台２０３上に構成された青色ＬＥＤチップ２０４と黄色蛍光剤が配合してあるシリコン樹脂剤２０５とによって構成される。青色ＬＥＤチップ２０４はワイヤ２０６によってアノード端子２０７と、ワイヤ２０８によってカソード端子２０９と接続されている。アノード端子２０７からカソード端子２０９の方向に所定の電流を流すことによって青色ＬＥＤ２０４が発光し、発光した青色光によって、シリコン樹脂剤２０５中の黄色蛍光剤が励起発光して、図中の矢印方向に白色光が射出される。
【００２５】
上記のように白色ＬＥＤ２０１が発光することによって熱が生じ、この熱は白色ＬＥＤ２０１と接している基板３０１に熱が伝わり、基板３０１が昇温する。発光時間が長いと白色ＬＥＤ及び基板３０１に熱が蓄積し、白色ＬＥＤ２０１の発光特性が変化する。
【００２６】
続いて白色ＬＥＤ２０１及びＬＥＤ基板３０１蓄積される熱を放出するために取り付けられる放熱部材５０１について図５から図１１を用いて説明する。
【００２７】
図５は放熱部材５０１の側面図、図６は放熱部材５０１の一部である放熱板５０２の一部の斜視図である。放熱部材５０１はＬＥＤ基板３０１のＬＥＤ素子２０１とは反対側の面に取り付けられる。ＬＥＤ基板３０１との接着は熱伝導性ボンドなどで接着させ、接着厚みは熱伝導性を損なわないようになるべく薄くかつ均一に塗布することが望ましい。
【００２８】
放熱部材５０１は複数の放熱板５０２で形成される。放熱部材５０１は放熱板５０２の長手方向が基板３０１の長手方向及び光の射出方向に対して垂直になるように設けられている。また、放熱板５０２はその面法線が原稿の主走査方向と平行するように設けられている。ここで放熱板５０２の面とは板を形成する複数の面の中で最も面積が広い面を指すこととする。
【００２９】
上記構成にすることにより、多くの熱が蓄積する箇所では多くの熱が放出されるため、熱分布を均一にすることができる。
【００３０】
続いて放熱板５０２の基板３０１からの高さについて説明する。本実施例における放熱板５０２の形状は白色ＬＥＤ素子２０１の配列間隔に相関する形状とする。そのため、白色ＬＥＤ２０１の間隔が狭く配列されている領域における放熱板５０２の高さは、白色ＬＥＤ２０１の間隔が広い領域における放熱板５０２の高さよりも高い。つまり、Ｄ領域ではＡ領域よりもＬＥＤ素子が密に配列されているため、Ｄ領域における放熱板５０２の高さはＡ領域における放熱板５０２の高さよりも高い。この構成ではＤ領域における板の表面積がＡ領域における放熱板５０２の表面積よりも大きくなり放熱の能力が高い構成となるため、Ｄ領域ではＡ領域よりも多くの熱が放出される。
【００３１】
また、放熱板５０２の高さは白色ＬＥＤ２０１の配列に相関させて構成されているため、白色ＬＥＤ２０１の配列の不均一性により生じるＬＥＤ基板３０１の熱分布を均一化することができる。一方、放熱板５０２の高さは上記の白色ＬＥＤ２０１の配列の不均一性により生じるＬＥＤ基板３０１の熱の分布に相関させる形状にしても良い。例えば、図５における放熱板５０２の高さは領域毎に発熱量が異なることを考慮して熱の分布に相関がとられるように構成される。すなわち、温度が高い個所（白色ＬＥＤの間隔が狭い領域：Ｄ領域）の板の高さは温度が低い箇所（白色ＬＥＤの間隔が広い領域：Ａ領域）の板の高さよりも高くなるように構成されている。Ｄ領域の板の高さがＡ領域の板の高さよりも高いため、放熱部材の表面積が大きくなりＤ領域での放熱効果が向上する。上記表面積の設定の仕方について説明する。複数の白色ＬＥＤ２０１を点灯させたとき、白色ＬＥＤ２０１の発熱によりＬＥＤ基板３０１にはその主走査方向に不均一な熱分布が生ずる。このＬＥＤ基板３０１に生ずる発熱量の分布を出荷前などに計測し、図７に示すように計測された発熱量の分布に相関させて放熱板５０２の高さ、あるいは放熱部材５０１の表面積を設定する。
【００３２】
上記構成にすることにより、多くの熱が蓄積する箇所では多くの熱が放出されるため、ＬＥＤ基板３０１の主走査方向の熱分布を均一にすることができる。また、ＬＥＤ基板３０１の熱分布が均一になるため主走査方向中央部領域に配置された白色ＬＥＤ２０１と端部領域に配置された白色ＬＥＤ２０１との熱が均一になり、発光色の差を抑制できる。
【００３３】
放熱部材はＬＥＤ基板３０１の主走査方向全体に取り付けなければならないものではなく、熱分布の均一化が目的であるので、図８に示すようにＬＥＤ基板３０１の少なくとも一部に放熱板８０２を設ける構成にしても良い。つまり、多くの熱が蓄積される領域のみに放熱部材８０１を設ける構成とする。その際、放熱板８０２は白色ＬＥＤ２０１の間隔またはＬＥＤ基板の主走査方向の温度差に相関させて構成する。これにより少ないスペースでＬＥＤ基板３０１の主走査方向の熱分布を均一化することができる。
【００３４】
図９はＬＥＤ基板３０１に放熱部材５０１を取り付けた場合のＬＥＤ基板３０１の熱分布を示す図である。放熱部材５０１が取り付けられていないＬＥＤ基板３０１に主走査方向の温度差が存在していた（図７参照）。しかしながら、ＬＥＤ基板３０１に放熱部材５０１を取り付けることによって、板の高さが高い領域（白色ＬＥＤの間隔が狭い領域：Ｄ領域）ではより多くの熱が放出されて温度が低下するため、ＬＥＤ基板３０１の熱分布が均一化される。
【００３５】
以上説明したとおり、本発明の原稿照明装置は、主走査方向に不均一に配列された発光ダイオードを支持する基板に対して、主走査方向に配列された発光ダイオードの間隔に相関させた形状の放熱部材を取り付ける構成とした。この構成にすることにより、発光ダイオードを点灯させたときのＬＥＤ基板３０１の主走査方向の温度分布を均一化することができ、主走査方向の中央部領域の白色ＬＥＤと端部領域の白色ＬＥＤとの間の発光色の差を抑制することができる。これにより主走査方向に生じる画像の色むらを低減することができる。
【００３６】
なお、上記実施例ではアルミを基材とした放熱板で説明を行ったが、本発明は放熱部材の基材を限定するものではなく、例えばアルミと銅の合金でも構わないし、導熱性プラスチックあってもかまわない。また、図１０のように、放熱部材１００１を構成する放熱板１００２の面が主走査方向と平行するように構成しても良い。その際、複数の板１００２のＬＥＤ基板３０１に対する垂直方向の長さはＡ領域よりもＤ領域の方が長くなるように構成する。これにより、Ａ領域における板１００２の表面積よりもＤ領域における板の表面積の方が大きくなるため放熱効果が向上する。この構成では複数の板が同一の形状になるため、放熱部材１００１の加工が容易に行える。
【００３７】
また、図１１のように、放熱部材１１０１を柱状の部材１１０２で形成してもよい。この構成に依れば、板状の部材により放熱部材を形成するよりも熱の分布にさらに相関させて放熱部材１１０１を形成することができるとともに、放熱部材１１０１の表面積が広くなるため放熱特性が高くなる。また、この構成では基板上で高温になる領域で柱状の部材１１０２の密度を高くすることも可能であるため、放熱効果を高めることができる。
【００３８】
なお、図１１では柱状の部材１１０２は円柱で示しているが、この形状に限られるものではなく、多角柱、多角錐、底面が楕円の柱あるいは錐などにしても良い。
【００３９】
また、本実施例ではＬＥＤ基板３０１の面法線と同一の方向に放熱板５０２を構成する構成としたが、放熱部材の形状はこれに限られるものではない。つまり、装置によってはＬＥＤ基板３０１の周囲に放熱部材が配置できるスペースが異なり、本実施例のように放熱部材が形成できないことを考慮して、放熱部材を設計するのが望ましい。
【００４０】
また、放熱部材としてシール状の放熱部材を用いても良い。第２の領域に取り付けるシールには第１の領域に取り付けるシールよりも放熱能力が高いシールを使用する。すなわち、第２の領域に取り付けるシールは第１の領域に取り付けるシールより熱伝導性が高い放熱シールを使用する。放熱部材として放熱シールを使用することによって少ないスペースで白色ＬＥＤ２０１及びＬＥＤ基板３０１から熱を放出させることができる。
【００４１】
また、本実施例では領域毎に放熱能力を異ならせるために、ＬＥＤ基板３０１からの放熱板５０２の高さを異ならせる構成とした。それに対して、冷却ファンを用いて放熱部材５０２に冷却風を当てて放熱能力を高める構成とする。その場合、放熱板５０２の高さを均一にして放熱板に当てる冷却風を調整することによって、領域毎の放熱能力を異ならせるようにしても良い。つまり、この場合、例えば実施例におけるＤ領域にはＡ領域（あるいはＢ、Ｃ領域）よりも強い冷却風を吹き付けることによって放熱能力を高める構成とする。また、Ｃ、Ｄ領域など多くの熱量が蓄積する領域に冷却風を当てる冷却ファンを設け、その他の領域には冷却ファンを設けない構成としても良い。この構成によっても本実施例と同様の効果が得られる。
【００４２】
上述の実施例では複数の白色ＬＥＤの間隔が不均一にし、端部の光量の落ち込みを防止する原稿照明装置について説明したが、他の構成でも端部の光量の落ち込みを防止できる。すなわち複数の白色ＬＥＤの間隔を均一に配列した照明装置において、端部側の白色ＬＥＤの光量を主走査方向中央部の白色ＬＥＤの光量よりも増やして点灯させる。これにより、原稿からの反射光が縮小光学系（レンズ）を通過させてからＣＣＤに入射させても、光源の端部側の光量が多いため主走査方向端部側のＣＣＤ出力を均一にすることができる。この場合、端部側の白色ＬＥＤは中央部の白色ＬＥＤよりも多くの電力を消費するため、端部側の白色ＬＥＤ群は中央部の白色ＬＥＤ群の発熱量よりも多くなり、白色ＬＥＤの発光色に差が生じてしまう。このような構成においても上述の放熱部材を採用することによって主走査方向の熱分布を均一にすることができ、端部側の白色ＬＥＤと中央部の白色ＬＥＤとの間に生ずる発光色の差を防止することができる。
【図面の簡単な説明】
【００４３】
【図１】本発明に係る実施例の原稿照明装置を備える画像形成装置概略図である。
【図２】本実施例の画像読取装置概略図である。
【図３】本実施例におけるＬＥＤ基板上の複数の白色ＬＥＤの実装状態を示す図である。
【図４】本実施例の白色ＬＥＤの構造を示す図である。
【図５】本実施例における放熱部材をＬＥＤ基板に取り付けた場合の側面図である。
【図６】本実施例における放熱部材の概略斜視図である。
【図７】本実施例の原稿照明装置に放熱部材を取り付けていない場合におけるＬＥＤ基板の主走査方向の熱分布を示す図である。
【図８】本実施例の放熱部材をＬＥＤ基板の一部に取り付ける場合の側面図である。
【図９】本実施例の放熱部材をＬＥＤ基板に取り付けたときの熱分布を示す図である。
【図１０】本実施例におけるその他の放熱部材の形状を示す図である。
【図１１】本実施例における柱状の放熱部材を示す図である。
【符号の説明】
【００４４】
１０１  原稿
１０２  原稿台ガラス
１０３ａ、１０３ｂ、１０３ｃ  反射光学系
１０４  縮小光学系（レンズ）
１０５  ＣＣＤ
２０１  白色ＬＥＤ
３０１  ＬＥＤ基板
５０１  放熱部材
５０２  放熱板
【図１】
2009151237.tif 000003
【図２】
2009151237.tif 000004
【図３】
2009151237.tif 000005
【図４】
2009151237.tif 000006
【図５】
2009151237.tif 000007
【図６】
2009151237.tif 000008
【図７】
2009151237.tif 000009
【図８】
2009151237.tif 000010
【図９】
2009151237.tif 000011
【図１０】
2009151237.tif 000012
【図１１】
2009151237.tif 000013